(57)【要約】【課題】従来と同等の再放射性能を持つ小型のコーナリフレクタを提供する。【解決手段】コーナリフレクタ１は、同一形状の五角形からなる第１面１１〜第３面１３からなる。第１面１１〜第３面１３は、五角形を作る所定の三辺を延長することにより同一形状の仮想的な３個の直角二等辺三角形が得られる形状を有する。仮想的な３個の直角二等辺三角形が正三角形の開口部を有する仮想的な三角錐を作るように、第１面１１〜第３面１３を配置する。仮想的な三角錐の開口部の作る平面内において第１面１１〜第３面１３の作る実際の開口部が正六角形となるように、仮想的な３個の直角二等辺三角形の各々において等しい角度の２個の角を含む端部を除去する。これにより、第１面１１〜第３面１３である五角形を規定する。第１面１１〜第３面１３の各々において仮想的な三角錐の内面となる面が電磁波を反射する。【選択図】  図１
2006148529.tif 000002
【特許請求の範囲】
【請求項１】
入射した電磁波をその入射方向に平行な方向に再放射するコーナリフレクタであって、
相互に同一形状の五角形からなる第１面、第２面及び第３面からなり、
前記第１面、第２面及び第３面は、当該五角形を作る所定の三辺を延長することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記仮想的な三角錐の前記開口部の作る平面内において前記第１面、第２面及び第３面の作る実際の開口部が正六角形となるように、当該仮想的な３個の直角二等辺三角形の各々において等しい角度の２個の角を含む端部を除去することにより、前記第１面、第２面及び第３面である前記五角形を規定し、
前記第１面、第２面及び第３面の各々において前記仮想的な三角錐の内面となる面が電磁波を反射する
ことを特徴とするコーナリフレクタ。
【請求項２】
入射した電磁波をその入射方向に平行な方向に再放射するコーナリフレクタであって、
相互に同一形状からなる第１面、第２面及び第３面からなり、
前記第１面、第２面及び第３面は、当該平面を拡張することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記仮想的な三角錐において、当該仮想的な３個の直角二等辺三角形の各々において電磁波の再放射に寄与しない部分を除去することにより、前記第１面、第２面及び第３面の形状を規定し、
前記第１面、第２面及び第３面の各々において前記仮想的な三角錐の内面となる面が電磁波を反射する
ことを特徴とするコーナリフレクタ。
【請求項３】
入射した電磁波をその入射方向に平行な方向に再放射するコーナリフレクタであって、
相互に同一形状からなる第１面、第２面及び第３面からなり、
前記第１面、第２面及び第３面は、当該平面を拡張することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記第１面、第２面及び第３面の各々において前記仮想的な三角錐の内面となる面が電磁波を反射し、
当該反射におけるＲＣＳが、前記仮想的な三角錐と同一形状を有する三角錐型コーナリフレクタと実質的に同等である
ことを特徴とするコーナリフレクタ。
【発明の詳細な説明】
【技術分野】
【０００１】
本発明は、コーナリフレクタに関し、特に、レーダや通信機器の電磁波反射体として用いられるコーナリフレクタに関する。
【背景技術】
【０００２】
レーダや通信機器において使用される電磁波反射体としてコーナリフレクタには、種々の形状のものがある。その一例として、三角錐の形状を有するコーナリフレクタ（ＴＲＩＡＮＧＵＬＡＲ  ＴＲＩＨＥＤＲＡＬ）がある（以下、三角錐型コーナリフレクタと言う）。三角錐型コーナリフレクタは、正三角形の開口面を有し、電磁波を反射する電磁波反射体として働く同一形状の３個の直角二等辺三角形を貼り合わせた構成を有する。三角錐型コーナリフレクタにおいては、その形状に基づいて定まる特質から、その開口面からその内部に入射した電磁波は、当該コーナリフレクタを構成する３面において各々反射し（従って、３回反射し）、再度、入射方向に電磁波を再放射する。
【０００３】
なお、コーナリフレクタアンテナの励振素子を含むコーナ部をアンテナ開口面側へ折り返すことにより、長さを短くして小型で指向特性に優れた折り返し型コーナリフレクタアンテナを得る技術が提案されている。
【特許文献１】特開平１０−２０９７４８号公報
【発明の開示】
【発明が解決しようとする課題】
【０００４】
従来の三角錐型コーナリフレクタは、外形寸法が比較的大きく、その設置のために必要とされる面積（以下、設置スペースと言う）が比較的広い。このため、設置スペースに余裕の無い場所へは設置する（実装するか又は埋め込む）ことができなかった。例えば、自動車、オートバイ、自転車、ビルの壁、電柱、橋の欄干、ロケット（ミサイル等を含む）、いたずら防止用（例えば、踏切向けセンサ用など）の偽装ポール等には、設置スペースが無い、目立つために却っていたずらの対象となる、外観を損なう等の理由から、三角錐型コーナリフレクタを設置することができ難かった。
【０００５】
ところが、三角錐型コーナリフレクタの面の部分によっては、内部に入射した電磁波を再放射できない（入射方向に反射するのに寄与しない）部分もある。本発明者の検討によれば、このような部分は、コーナリフレクタの機能から言えば無駄な部分である一方、外形寸法を大きくする一因となる。更に、本発明者の検討によれば、このような内部に入射した電磁波を再放射できない部分を、性能を低下させることなく、三角錐型コーナリフレクタの面から除去することができれば、従来の三角錐型コーナリフレクタと同等の再放射性能を持ちつつ、より小型のコーナリフレクタを得ることができる。
【０００６】
本発明は、従来と同等の再放射性能を持つ小型のコーナリフレクタを提供することを目的とする。
【課題を解決するための手段】
【０００７】
本発明のコーナリフレクタは、入射した電磁波をその入射方向に平行な方向に再放射するコーナリフレクタであって、相互に同一形状の五角形からなる第１面、第２面及び第３面からなり、前記第１面、第２面及び第３面は、当該五角形を作る所定の三辺を延長することにより相互に同一形状の仮想的な３個の直角二等辺三角形が得られる形状を有し、前記仮想的な３個の直角二等辺三角形が正三角形の開口部を有する仮想的な三角錐を作るように、前記第１面、第２面及び第３面を配置し、前記仮想的な三角錐の前記開口部の作る平面内において前記第１面、第２面及び第３面の作る実際の開口部が正六角形となるように、当該仮想的な３個の直角二等辺三角形の各々において等しい角度の２個の角を含む端部を除去することにより、前記第１面、第２面及び第３面である前記五角形を規定し、前記第１面、第２面及び第３面の各々において前記仮想的な三角錐の内面となる面が電磁波を反射する。
【０００８】
また、本発明のコーナリフレクタは、入射した電磁波をその入射方向に平行な方向に再放射するコーナリフレクタであって、相互に同一形状からなる第１面、第２面及び第３面からなり、前記第１面、第２面及び第３面は、当該平面を拡張することにより相互に同一形状の仮想的な３個の直角二等辺三角形が得られる形状を有し、前記仮想的な３個の直角二等辺三角形が正三角形の開口部を有する仮想的な三角錐を作るように、前記第１面、第２面及び第３面を配置し、前記仮想的な三角錐において、当該仮想的な３個の直角二等辺三角形の各々において電磁波の再放射に寄与しない部分を除去することにより、前記第１面、第２面及び第３面の形状を規定し、前記第１面、第２面及び第３面の各々において前記仮想的な三角錐の内面となる面が電磁波を反射する。
【０００９】
また、本発明のコーナリフレクタは、入射した電磁波をその入射方向に平行な方向に再放射するコーナリフレクタであって、相互に同一形状からなる第１面、第２面及び第３面からなり、前記第１面、第２面及び第３面は、当該平面を拡張することにより相互に同一形状の仮想的な３個の直角二等辺三角形が得られる形状を有し、前記仮想的な３個の直角二等辺三角形が正三角形の開口部を有する仮想的な三角錐を作るように、前記第１面、第２面及び第３面を配置し、前記第１面、第２面及び第３面の各々において前記仮想的な三角錐の内面となる面が電磁波を反射し、当該反射におけるＲＣＳが、前記仮想的な三角錐と同一形状を有する三角錐型コーナリフレクタと実質的に同等である。
【発明の効果】
【００１０】
本発明のコーナリフレクタにおいては、第１面、第２面及び第３面の作る仮想的な三角錐の開口部の作る平面内において実際の開口部が正六角形となるように、第１面、第２面及び第３面の作る仮想的な３個の直角二等辺三角形の各々において等しい角度の２個の角を含む端部を除去する（図３参照）。また、本発明のコーナリフレクタにおいては、前記仮想的な三角錐において、前記仮想的な３個の直角二等辺三角形の各々において電磁波の再放射に寄与しない部分を除去する。また、本発明のコーナリフレクタにおいては、当該反射におけるＲＣＳが、前記仮想的な三角錐と同一形状を有する三角錐型コーナリフレクタと実質的に同等である。
【００１１】
以上により、本発明のコーナリフレクタによれば、本発明者の検討に従って、その内部に入射した電磁波を当該入射方向（に平行な方向）へ再放射できない部分を除去することができる。このような部分は、コーナリフレクタの機能から言えば無駄な部分であり、再放射性能の観点からは、除去しても何ら問題が無い。これにより、同等の反射性能を有する従来の三角錐型コーナリフレクタと比較して、再放射性能を低下させることなく、コーナリフレクタの外観形状を小型化することができる。この結果、本発明のコーナリフレクタによれば、その設置スペースを小さくすることができる。このため、本発明のコーナリフレクタは、従来は設置スペースに余裕が無なかった場所であっても、設置する（実装するか又は埋め込む）ことができる。例えば、本発明のコーナリフレクタは、自動車、オートバイ、自転車、ビルの壁、電柱、橋の欄干、ロケット（ミサイル等を含む）、いたずら防止用（例えば、踏切向けセンサ用など）の偽装ポール等にも、設置することができる。また、このような種々の設置スペースに設置しても、小型で目立たないので、いたずらの対象となることを防止することができ、外観を損なうことを防止することができる。
【発明を実施するための最良の形態】
【００１２】
図１は、コーナリフレクタ構成図であって、本発明のコーナリフレクタの構成の一例を示す。特に、図１（Ａ）は上面図、図１（Ｂ）は正面図、図１（Ｃ）は側面図、図１（Ｄ）は背面図を示す。図２及び図３は、コーナリフレクタ説明図であって、本発明のコーナリフレクタの構成を説明するための図である。
【００１３】
本発明のコーナリフレクタ１は、入射した電磁波をその入射方向に平行な方向（入射方向を含む）に再放射する（反射する）コーナリフレクタ（レーダターゲット）である。図１（Ａ）及び図１（Ｃ）に、再放射される電磁波の入射方向を矢印で示す。コーナリフレクタ１は、相互に同一形状の五角形からなる第１面（左面）１１、第２面（右面）１２及び第３面（底面）１３からなる。第１面１１、第２面１２及び第３面１３は、図２（Ａ）に示すように、当該五角形状の平面状（板状）の部材からなり、後述するように、コーナリフレクタ１の反射面を構成する。第１面１１〜第３面１３には区別が無く、いずれの面が第１面１１〜第３面１３であっても良い。
【００１４】
第１面１１、第２面１２及び第３面１３は、図２（Ｂ）に示すように、当該五角形を作る所定の三辺を延長することにより、相互に同一形状の仮想的な３個の直角二等辺三角形１０１〜１０３（図２（Ｃ）参照）が得られる形状を有する。延長される所定の三辺は、仮想的な３個の直角二等辺三角形１０１〜１０３の各々において、等しい角度の２個の角を作る辺である。又は、第１面１１、第２面１２及び第３面１３は、当該平面を拡張することにより相互に同一形状の仮想的な３個の直角二等辺三角形１０１〜１０３が得られる形状を有する。第１面１１、第２面１２及び第３面１３は、当該仮想的な３個の直角二等辺三角形１０１〜１０３が正三角形の開口部１０４を有する仮想的な三角錐（図３参照）を作るように配置され、これにより、図１に示す本発明のコーナリフレクタ１を構成する。
【００１５】
この仮想的な三角錐に基づいて、図３に示すように、これと同一形状を有する三角錐型コーナリフレクタ１００を想定することができる。本発明のコーナリフレクタ１における仮想的な三角錐と同一形状を有する三角錐型コーナリフレクタ１００を、本明細書では、仮想三角錐型コーナリフレクタ１００と言うこととする。即ち、図３は、図１のコーナリフレクタ１に対応する仮想三角錐型コーナリフレクタ１００を示す。
【００１６】
図３（Ａ）、図３（Ｂ）、図３（Ｃ）及び図３（Ｄ）は、各々、図１（Ａ）、図１（Ｂ）、図１（Ｃ）及び図１（Ｄ）に対応し、仮想三角錐型コーナリフレクタ１００の上面図、正面図、側面図及び背面図を示す。この仮想三角錐型コーナリフレクタ１００は、周知の形状の三角錐型コーナリフレクタである。従って、本発明のコーナリフレクタ１は、三角錐型コーナリフレクタ（１００）の変形であると言うことができる。なお、図３において、図１のコーナリフレクタ１の形状を重ねて点線で示す。
【００１７】
本発明のコーナリフレクタ１は、三角錐型コーナリフレクタ（１００）と同様に、入射周波数と当該周波数におけるＲＣＳ（Radar Cross Section）と（以下、両者を再放射特性と言う）が定まると、その形状（外観）も一意に定まる。図１に示す本発明のコーナリフレクタ１は、例えば７６．５ＧＨｚの電磁波を入射した場合において、ＲＣＳ＝約１５ｄＢｓｍを実現するコーナリフレクタ１である。そして、後述するように、本発明のコーナリフレクタ１は仮想三角錐型コーナリフレクタ１００と同等の反射性能を有するので、図１に示す本発明のコーナリフレクタ１に対応する（即ち、図３の）仮想三角錐型コーナリフレクタ１００も、同様に、例えば７６．５ＧＨｚの電磁波を入射した場合において、ＲＣＳ＝約１５ｄＢｓｍを実現する三角錐型コーナリフレクタ（１００）である。
【００１８】
また、図３の仮想三角錐型コーナリフレクタ１００において、第１式：ＡＴ＝ａ２／３１／２、及び、第２式：σ＝（４πａ４）／（３λ２）が成立する場合、図１のコーナリフレクタ１においても当該第１式及び第２式が成立する。ここで、ＡＴはEquivalent Flat-Plate Area of Target であり、σはScattering Cross Section of Target であり、ａは図３（Ｃ）の仮想三角錐型コーナリフレクタ１００の開口部１０４の稜線１０６を作る仮想的な２個の直角二等辺三角形の当該辺の長さである。即ち、図１のコーナリフレクタ１の対応する稜線１６（図１（Ｃ）参照）の長さは稜線１０６よりも短いが、これに拘わらず、図１のコーナリフレクタ１についてａの値に稜線１０６の長さを代入した第１式及び第２式が成立する。これは、図１のコーナリフレクタ１が図３の仮想三角錐型コーナリフレクタ１００と同等の特性を持つからである。
【００１９】
このように、本発明によれば、コーナリフレクタ１は小型化したにも拘わらず仮想三角錐型コーナリフレクタ１００と同等のＲＣＳ等の特性を持ち、また、このような外形寸法を小型にしたコーナリフレクタ１を当該仮想三角錐型コーナリフレクタ１００の開口部１０４を正三角から正六角に変更することにより得ることができる。
【００２０】
本発明のコーナリフレクタ１においては、図３（Ｂ）から判るように、仮想的な三角錐の開口部１０４の作る平面内において、第１面１１、第２面１２及び第３面１３の作る実際の開口部１４が正六角形となるようにされる。即ち、図２（Ｂ）及び図２（Ｃ）に示すように、当該仮想的な３個の直角二等辺三角形１０１〜１０３の各々において、等しい角度の２個の角を含む端部１０５を、実際の開口部１４が正六角形となるように除去する。これにより、図２（Ｂ）に示す五角形の第１面１１〜第３面１３を得る。この時、図２（Ｂ）における２個の角度θは等しくなる。基本的に、元の（仮想的な）直角二等辺三角形の稜線１０６の長さであるａにより、コーナリフレクタ１の再放射特性が定まる。これにより、第１面１１〜第３面１３である五角形の形状が定まる。
【００２１】
図１と図３との比較から判るように、コーナリフレクタ１は、当該仮想三角錐型コーナリフレクタ１００から、３箇所において６個の端部１０５を除去したに等しい。端部１０５を除去した部分は、特に図１（Ｃ）から判るように、他の部材によって塞がれることなく、除去したままの状態とされる。従って、当該端部１０５を除去した部分において、入射した電磁波が反射されることは無く、そのままコーナリフレクタ１の後方に直進する。また、図１（Ａ）から判るように、例えば上面から見た場合、第３面（底面）１３が見えることになる。
【００２２】
仮想三角錐型コーナリフレクタ１００を正面より見た場合、図３（Ｂ）に示すように、その開口部１０４が正三角となる。本発明のコーナリフレクタ１は、図１に実線で示すように及び図３（Ｂ）に点線で示すように、正三角形の開口部１４が正六角に見えるように、仮想三角錐型コーナリフレクタ１００から端部１０５を取り除く（切り欠く）ことにより実現できる。即ち、図２（Ｂ）を参照して前述したように、直角二等辺三角形１０１〜１０３の２箇所の端部１０５を切り欠く。なお、コーナリフレクタ１の開口部１４の作る平面（開口面）は、仮想三角錐型コーナリフレクタ１００の開口部の作る平面（開口面）に一致する（これに含まれる）。
【００２３】
端部１０５は、前述の仮想的な三角錐において、当該仮想的な３個の直角二等辺三角形１０１〜１０３の各々において電磁波の再放射に寄与しない部分である。この端部１０５を除去することにより、前述のように、第１面１１、第２面１２及び第３面１３の形状を規定する。具体的には、仮想的な３個の直角二等辺三角形１０１〜１０３の各々において、等しい角度の２個の角を含む端部１０５を除去する。この切り欠かれた端部（切り欠き部）１０５が、本発明者の検討によれば、電磁波の反射に寄与しない不要な部分である。
【００２４】
このような端部１０５の除去により、本発明のコーナリフレクタ１においては、前述のようにして想定される仮想三角錐型コーナリフレクタ１００と対比した場合、その外形寸法で、幅Ｗを約３３％、高さＨを約３３％、小型化することができる。その奥行きＤには、入射した電磁波を反射して再放射する再放射特性に基づいて定まるので、変化が無い。これにより、従来と同等の反射性能を維持しつつ、小型のコーナリフレクタ１を製作することができる。
【００２５】
このように、コーナリフレクタ１の外形寸法を小型にすることにより、設置スペースに余裕の無い場所へ設置できる可能性を飛躍的に向上することができ、そのような場所へのコーナリフレクタ１の実装及び埋め込みが可能となる。例えば、車、オートバイ、自転車、ビルの壁、電柱、欄干、ロケット（ミサイル等を含む）、いたずら防止の偽装ポール等（踏切向けセンサ用など）への設置が可能となる。これに加えて、これらに設置しても、外観が小型なので、その外観を損なうことが無く、目立たないのでいたずらを防止することができる。従って、本発明のコーナリフレクタ１を低ＲＣＳ体又はＲＣＳ変動の大きい物に設置して、レーダ等のセンサによるこれらの物体の検出性を向上させることができる。
【００２６】
なお、幅Ｗとは、仮想的な三角錐の開口部１０４（又は、実際の正六角形の開口部１４）の作る平面が水平面に対して垂直になる状態（以下、正立状態と言う）に当該コーナリフレクタ１を置いた場合において、当該開口部１４及び１０４の最大幅を言う。高さＨとは、コーナリフレクタ１を正立状態に置いた場合において、当該開口部１４及び１０４の最大高さを言う。図１及び図３は正立状態のコーナリフレクタ１を示し、Ｗ及びＨは図１（Ｂ）及び図３（Ｂ）におけるコーナリフレクタ１の幅及び高さである。奥行きＤとは、コーナリフレクタ１を正立状態に置いた場合において、当該開口部１４及び１０４の作る平面と三角錐の頂点との間の距離（前記垂線の長さ）を言う。なお、前述のように、コーナリフレクタ１及び仮想三角錐型コーナリフレクタ１００におけるＷ、Ｈ及びＤの値は、その特性を定めることにより一意に定まる。
【００２７】
図４は、コーナリフレクタ説明図であって、本発明のコーナリフレクタ１の反射性能の一例を示す。特に、図４（Ａ）は水平方向における反射性能を極座標表示系により示し、図４（Ｂ）は垂直方向における反射性能を極座標表示系により示す。
【００２８】
図４は、本発明のコーナリフレクタ１に、７６．５ＧＨｚの周波数の電磁波を入射させた場合についてのシミュレーションによるＲＳＣパターン（開口面より見て、９０°の範囲）を示す。前述のように、本発明のコーナリフレクタ１に対応する仮想三角錐型コーナリフレクタ１００の反射性能は、ＲＣＳ＝約１５ｄＢｓｍである。図４（Ａ）及び図４（Ｂ）から判るように、本発明のコーナリフレクタ１は、水平方向及び垂直方向において、ＲＣＳ＝約１５ｄＢｓｍを実現している。従って、本発明のコーナリフレクタ１において、当該反射におけるＲＣＳは、仮想的な三角錐と同一形状を有する仮想三角錐型コーナリフレクタ１００のＲＣＳと実質的に同等である。これにより、コーナリフレクタとしての機能を損なうことなく、前記端部１０５の除去を実現し、小型化を図っていることが判る。
【００２９】
ここで、水平方向とは、当該コーナリフレクタ１を正立状態においた場合において、水平面に平行で、コーナリフレクタ１の開口部１４の上辺１５（図１（Ｂ）〜図１（Ｄ）参照）を含む平面を言う。垂直方向とは、当該コーナリフレクタ１を正立状態においた場合において、水平面に垂直で、コーナリフレクタ１の開口部１４の稜線１６（図１（Ｃ）参照）を作る仮想的な２個の直角二等辺三角形の辺を含む平面の方向を言う。
【００３０】
なお、水平面においては、図４（Ａ）に示すように、その反射特性においても対称性が得られる。これは、当該水平面を基準とするとき、本発明のコーナリフレクタ１の形状は面対称であるためである。一方、垂直面においては、図４（Ｂ）に示すように、その反射特性において対称性が得られない。これは、当該垂直面を基準とするとき、本発明のコーナリフレクタ１の形状は面対称ではないためである。
【００３１】
本発明のコーナリフレクタ１の製作においては、実際に、作成した三角錐型コーナリフレクタから前記端部１０５を除去しても良い。また、当該除去を行うことなく、当該五角形状の第１面１１、第２面１２及び第３面１３を、各々の隣接する面の対向する二等辺を相互に合わせるように、貼り合わせるようにしても良い。更に、本発明のコーナリフレクタ１の形状を、例えばプラスチックの射出成形により作製するようにしても良い。
【００３２】
本発明のコーナリフレクタ１においては、第１面１１、第２面１２及び第３面１３の各々において、仮想的な三角錐の内面となる面が電磁波を反射する。従って、本発明のコーナリフレクタ１は、その開口面１４からその内部に入射した電磁波を、当該コーナリフレクタ１を構成する３面において各々反射し（従って、３回反射し）、再度、当該入射方向に平行な方向に再放射する。これにより、コーナリフレクタとしての機能を損なうことなく、前記端部１０５を除去することができる。
【００３３】
一方、本発明のコーナリフレクタ１においては、第１面１１、第２面１２及び第３面１３の各々において、その全体が電磁波の入射方向に平行な方向への再放射に寄与し、当該再放射に寄与しない領域は存在しない。従って、本発明のコーナリフレクタ１は、当該反射において、電磁波をその入射方向に平行な方向に再放射すると共に、当該方向以外の方向の再放射を実質的に無くしている（但し、アンテナと同様に開口面からの再放射なのでビームに広がりを持つ）。即ち、本発明のコーナリフレクタ１は、入射した電磁波のほぼ全部（端部１０５に対応する部分からなる後方へ直進する分を除く）を当該入射方向に反射（再放射）している。これにより、本発明のコーナリフレクタ１は、入射した電磁波が不要な方向に乱反射（散乱）されることを防止することができ、また、効率の良い再放射により電磁波の放出元である送信機の出力を小さくしても十分な反射波が得られるので当該送信機を小さくすることができる。
【００３４】
実際には、本発明のコーナリフレクタ１においては、電磁波を反射するように、第１面１１、第２面１２及び第３面１３の部材の各々において、前記内面に相当する面に、電磁波反射体が設けられる。電磁波反射体は、例えば金属からなる。具体的には、例えばプラスチック又は金属等からなる前記部材の各々の内面に相当する面の表面に、アルミニウム、真鍮、銅等の金属箔が接着剤により貼られる。また、前記部材の各々の内面に相当する面の表面に、アルミニウム等の薄膜を蒸着するようにしても良い。
【００３５】
なお、第１面１１、第２面１２及び第３面１３の部材の各々において、前記内面に相当する面が光を反射する鏡面であっても良い。これにより、電磁波の中の特に可視光線について、入射した光をその入射方向に平行な方向に再放射（反射）し、かつ、当該方向以外の方向に不要な光を散乱させることの無いコーナリフレクタ１を実現することができる。これにより、コーナリフレクタ１の汎用性を高くすることができ、従来使用されていなかった種々の分野での利用が可能となる。例えば、レーザを用いて行う距離測定における反射基準等に利用することが可能となる。なお、鏡面は、前述のように当該表面に蒸着等した金属膜の表面を研磨することにより、得ることができる。
【００３６】
図５は、コーナリフレクタ説明図であって、本発明のコーナリフレクタ１の設置の一例を示す。
【００３７】
本発明のコーナリフレクタ１は、例えば図５（Ａ）に示すように、設置台１７を設けて当該設置台１７を設置対称物（図示せず）上に固定することにより、送信機（レーダ）に向けて所定の設置位置に設けることができる。また、本発明のコーナリフレクタ１は、例えば図５（Ｂ）に示すように、設置対称物２００内に埋め込まれる。開口部１４は空洞２０２とされる。この場合、当該コーナリフレクタ１は、電磁波の使用周波数において透過しやすい物質のカバー２０１により覆われる。カバー２０１は省略しても良い。
【００３８】
以上、本発明をその実施の態様に従って説明したが、本発明によれば、以下のような実施の態様が把握される。
【００３９】
（付記１）  入射した電磁波をその入射方向に平行な方向に再放射するコーナリフレクタであって、
相互に同一形状の五角形からなる第１面、第２面及び第３面からなり、
前記第１面、第２面及び第３面は、当該五角形を作る所定の三辺を延長することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記仮想的な三角錐の前記開口部の作る平面内において前記第１面、第２面及び第３面の作る実際の開口部が正六角形となるように、当該仮想的な３個の直角二等辺三角形の各々において等しい角度の２個の角を含む端部を除去することにより、前記第１面、第２面及び第３面である前記五角形を規定し、
前記第１面、第２面及び第３面の各々において前記仮想的な三角錐の内面となる面が電磁波を反射する
ことを特徴とするコーナリフレクタ。
【００４０】
（付記２）  入射した電磁波をその入射方向に平行な方向に再放射するコーナリフレクタであって、
相互に同一形状からなる第１面、第２面及び第３面からなり、
前記第１面、第２面及び第３面は、当該平面を拡張することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記仮想的な三角錐において、当該仮想的な３個の直角二等辺三角形の各々において電磁波の再放射に寄与しない部分を除去することにより、前記第１面、第２面及び第３面の形状を規定し、
前記第１面、第２面及び第３面の各々において前記仮想的な三角錐の内面となる面が電磁波を反射する
ことを特徴とするコーナリフレクタ。
【００４１】
（付記３）  入射した電磁波をその入射方向に平行な方向に再放射するコーナリフレクタであって、
相互に同一形状からなる第１面、第２面及び第３面からなり、
前記第１面、第２面及び第３面は、当該平面を拡張することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記第１面、第２面及び第３面の各々において前記仮想的な三角錐の内面となる面が電磁波を反射し、
当該反射におけるＲＣＳが、前記仮想的な三角錐と同一形状を有する三角錐型コーナリフレクタと実質的に同等である
ことを特徴とするコーナリフレクタ。
【００４２】
（付記４）  入射した電磁波をその入射方向に平行な方向に再放射するコーナリフレクタであって、
相互に同一形状からなる第１面、第２面及び第３面からなり、
前記第１面、第２面及び第３面は、当該平面を拡張することにより相互に同一形状の仮想的な３個の直角二等辺三角形が得られる形状を有し、
前記仮想的な３個の直角二等辺三角形が正三角形の開口部を有する仮想的な三角錐を作るように、前記第１面、第２面及び第３面を配置し、
前記第１面、第２面及び第３面の各々において前記仮想的な三角錐の内面となる面が電磁波を反射し、
当該反射において、電磁波をその入射方向に平行な方向に再放射すると共に、当該方向以外の方向への再放射を実質的に無くした
ことを特徴とするコーナリフレクタ。
【００４３】
（付記５）  前記第１面、第２面及び第３面の各々において前記仮想的な三角錐の内面となる面が光を反射する鏡面である
ことを特徴とする付記１乃至付記４のいずれかに記載のコーナリフレクタ。
【産業上の利用可能性】
【００４４】
本発明によれば、コーナリフレクタにおいて、例えば第１面、第２面及び第３面の作る仮想的な三角錐の開口部の作る平面内において実際の開口部が正六角形となるように、第１面、第２面及び第３面の作る仮想的な３個の直角二等辺三角形の各々において等しい角度の２個の角を含む端部を除去する。即ち、本発明のコーナリフレクタは、内部に入射した電磁波を再放射できない部分を除去する。これにより、同等の反射性能を有する従来の三角錐型コーナリフレクタと比較して、再放射性能を低下させることなく、コーナリフレクタの外観形状を小型化することができる。この結果、本発明のコーナリフレクタによれば、その設置スペースを小さくすることができ、従来は設置スペースに余裕が無なかった場所であっても設置することができ、また、このような種々の設置スペースに設置しても、小型で目立たないので、いたずらの対象となることを防止することができ、外観を損なうことを防止することができる。
【図面の簡単な説明】
【００４５】
【図１】本発明のコーナリフレクタの構成の一例を示す。
【図２】図１のコーナリフレクタの説明図である。
【図３】図１の本発明のコーナリフレクタに対応する仮想三角錐型コーナリフレクタを示す。
【図４】本発明のコーナリフレクタの反射性能の一例を示す。
【図５】本発明のコーナリフレクタの設置の一例を示す。
【符号の説明】
【００４６】
１    コーナリフレクタ
１１、１２、１３    第１面、第２面、第３面
１００    仮想三角錐型コーナリフレクタ
【図１】
2006148529.tif 000003
【図２】
2006148529.tif 000004
【図３】
2006148529.tif 000005
【図４】
2006148529.tif 000006
【図５】
2006148529.tif 000007